(57)【要約】      （修正有）【課題】駐車場にて駐車区画毎に様々な情報を提供する。【解決手段】駐車場区画Ｐ毎に設置される通信手段を有した情報端末１であって、駐車場の予約受付、車両の有無を監視・検出して空車情報の発信、車両を撮像し車両情報記憶機能、駐車場の課金、商品の注文受付ける商品受注・ポイント付与機能、電気自動車への充電手段、病院の診察状況・待ち時間・出勤医師を含む病院情報、コンビニエンスストアに併設され店舗情報・商品情報・無料配布物情報、緊急地震速報、広告、当番医、町内清掃日程、ゴミ出し可能日などの生活情報などを提供する。【選択図】図１
2015225431.tif 000002
【特許請求の範囲】
【請求項１】
駐車場に設置される情報端末であって、
１つ又は２つの駐車区画に１つ設置されて、利用者に情報を提供する情報端末。
【請求項２】
前記情報端末は建物に併設されるものであり、前記駐車区画に対して前記建物側に設置される、請求項１に記載の情報端末。
【請求項３】
前記情報端末は通信手段を有しており、当該通信手段を介して他の通信機器と接続されている、請求項１又は２に記載の情報端末。
【請求項４】
前記通信手段を通じて、利用者の携帯端末から駐車場の事前予約を受け付ける駐車場予約機能を有する、請求項３に記載の情報端末。
【請求項５】
前記駐車区画内の車両の有無を監視するための車両検出手段を備えている、請求項１から４の何れか一項に記載の情報端末。
【請求項６】
前記車両検出手段からの情報に基づいて、前記通信手段を通じて、駐車場の空車情報を前記他の通信機器へ発信する空車情報発信機能を有する、請求項５に記載の情報端末。
【請求項７】
車両を撮像するための撮像手段を備える、請求項１から６の何れか一項に記載の情報端末。
【請求項８】
前記撮像手段によって撮像された画像に基づいて車両を特定し、特定された車両の情報を記憶する車両情報記憶機能を有する、請求項７に記載の情報端末。
【請求項９】
前記情報端末が提供する情報は、車両入庫時刻、入庫後の経過時間、課金中であること又は課金金額などを含む駐車関連情報である、請求項１から８の何れか一項に記載の情報端末。
【請求項１０】
前記情報端末はコンビニエンスストアに併設され、前記情報端末が提供する情報は、店舗情報、商品情報、無料配布物情報、緊急地震速報、広告、当番医、町内清掃日程、ごみ出し可能日、お祭り開催情報などを含む生活情報である、請求項１から９の何れか一項に記載の情報端末。
【請求項１１】
利用者から商品注文を受け付ける商品受注機能を有する、請求項１０に記載の情報端末。
【請求項１２】
請求項８に記載の車両の情報と請求項１１に記載の受注の情報とを、相互に関連付けて記憶するデータベース機能を有する情報端末。
【請求項１３】
前記受注の情報に基づいて、関連付けられた車両に対してポイントを付与するポイント付与機能を有する、請求項１２に記載の情報端末。
【請求項１４】
前記情報端末は病院に併設され、前記情報端末が提供する情報は、診察状況、待ち時間、出勤医師名を含む病院情報である、請求項１から９の何れか一項に記載の情報端末。
【請求項１５】
電気自動車又はプラグインハイブリッド自動車に対して充電を行うための充電手段を有する、請求項１から１４の何れか一項に記載の情報端末。
【請求項１６】
請求項１から１５の何れか一項に記載の情報端末と、前記駐車区画からの車両の出庫を阻止するための、少なくとも１つの車止め手段とを備えている駐車場。
【請求項１７】
前記車止め手段は、入庫から所定時間経過後に車両の出庫を阻止する姿勢となり、情報端末を使った精算により車両の出庫を許容する姿勢となる、請求項１６に記載の駐車場。
【請求項１８】
前記車止め手段は、駐車場管理者の操作によって車両の出庫を許容する姿勢となる、請求項１６に記載の駐車場。
【請求項１９】
請求項１から１５の何れか一項に記載の情報端末または請求項１６から１８の何れか一項に記載の駐車場を備えた、駐車場管理システム。
【発明の詳細な説明】
【技術分野】
【０００１】
本発明は、駐車場に係り、特に、駐車場に設置されて種々の情報を提供する情報端末およびそれを備えた駐車場並びに駐車場管理システムに関する。
【背景技術】
【０００２】
従来から、無人駐車場や、例えば店舗（コンビニ）や病院の建物に併設された駐車場が存在している。これらの駐車場は、無料の場合もあれば、有料の場合もある。有料の駐車場の場合には、無人精算機や駐車場管理人によって管理され、駐車料金が徴収されるようになっている。
【発明の概要】
【発明が解決しようとする課題】
【０００３】
しかしながら、上記従来技術に係る駐車場では、以下のような問題があった。すなわち、無料の駐車場であれば当然収益を期待することはできない。また、有料の駐車場の場合であっても、単に車両を駐車するためだけに利用されており、基本的には駐車料金以外の収益は望めなかった。さらには、駐車場自体が付加価値の高い情報を提供するような仕組みは存在しなかった。
【課題を解決するための手段】
【０００４】
本発明は上記課題に鑑みてなされたものであり、第１の手段は、駐車場に設置される情報端末であって、１つ又は２つの駐車区画に１つ設置されて、利用者に情報を提供する情報端末である。このような構成を採ることにより、利用者は駐車区画毎の情報端末を見ることができ、従来は行われていなかった駐車場利用者への積極的な情報提供を行うことが可能となる。
【０００５】
また、第２の手段は、前記情報端末は建物に併設されるものであり、前記駐車区画に対して前記建物側に設置される、第１の手段の情報端末である。このような構成を採ることで、仮に車両の運転者が運転ミスをした場合でも、情報端末がボラードとして機能し、建物の損傷を防ぐことが可能となる。
【０００６】
また、第３の手段は、前記情報端末は通信手段を有しており、当該通信手段を介して他の通信機器と接続されている、第１又は第２の手段の情報端末である。このような構成を採ることで、外部から最新の情報を取得して利用者に提供することができる。それと同時に、情報端末に入力された情報を外部ネットワークを介して発信することができる。
【０００７】
また、第４の手段は、前記通信手段を通じて、利用者の携帯端末から駐車場の事前予約を受け付ける駐車場予約機能を有する、第３の手段の情報端末である。このような構成を採ることで、これまでは予約をすることができなかった無人駐車場や店舗併設の駐車場であっても、駐車場管理者を介することなく事前予約をすることが可能となる。
【０００８】
また、第５の手段は、前記駐車区画内の車両の有無を監視するための車両検出手段を備えている、第１の手段から第４の手段の何れかの情報端末である。このような構成を採ることで、リアルタイムで駐車区画の状況を把握することができ、長時間の駐車やこれに基づく警告発信などをが可能となる。
【０００９】
また、第６の手段は、前記車両検出手段からの情報に基づいて、前記通信手段を通じて、駐車場の空車情報を前記他の通信機器へ発信する空車情報発信機能を有する、第５の手段の情報端末である。このような構成を採ることで、遠隔地にいる利用者であっても、駐車区画の空き状況を確認できると共に、事前予約をすることが可能となる。
【００１０】
第７の手段は、車両を撮像するための撮像手段を備える、第１から第６の何れかの情報端末である。このような構成を採ることで、撮像された画像（特に、ナンバープレート）から車両を識別することができ、特定の車両の駐車履歴情報を作成することが可能となる。
【００１１】
第８の手段は、前記撮像手段によって撮像された画像に基づいて車両を特定し、特定された車両の情報を記憶する車両情報記憶機能を有する、第７の手段の情報端末である。このような構成を採ることで、必要に応じて記憶されている車両情報を読出し、情報の提供やサービスに役立てることができる。
【００１２】
また、第９の手段は、前記情報端末が提供する情報は、車両入庫時刻、入庫後の経過時間、課金中であること又は課金金額などを含む駐車関連情報である、第１から第８の手段の情報端末である。このような構成を採ることで、利用者に対して長時間の駐車を抑制させると共に、駐車料金をリアルタイムで確認できるようにすることができる。
【００１３】
また、第１０の手段は、前記情報端末はコンビニエンスストアに併設され、前記情報端末が提供する情報は、店舗情報、商品情報、無料配布物情報、緊急地震速報、広告、当番医、町内清掃日、ごみ出し可能日、お祭り開催情報などを含む生活情報である、第１から第９の手段の情報端末である。このような構成を採ることで、地域に居住する住民に対して有益な情報を適用でき、集客効果を期待することができるようになる。
【００１４】
また、第１１の手段は、利用者から商品注文を受け付ける商品受注機能を有する、第１０の手段の情報端末である。このような構成を採ることで、利用者は店舗に入ることなく商品を購入することができるようになり、いわゆるドライブスルー形式の商品購入が可能となる。
【００１５】
また、第１２の手段は、第８の手段の車両情報と第１１の手段の受注情報とを、相互に関連付けて記憶するデータベース機能を有する情報端末である。このような構成を採ることで、車両の所有者の商品購入履歴情報を作成することができ、再来店時に適切な商品の紹介をすることが可能となる。
【００１６】
また、第１３の手段は、前記受注の情報に基づいて、関連付けられた車両に対してポイントを付与するポイント付与機能を有する、第１２の手段の情報端末である。このような構成を採ることで、車両情報によって利用者を特定できるため、ポイントカードを使用する事無くポイント付与及びポイント利用が可能となる。
【００１７】
また、第１４の手段は、前記情報端末は病院に併設され、前記情報端末が提供する情報は、診察状況、待ち時間、出勤医師名を含む病院情報である、第１から第９の手段の情報端末である。このような構成を採ることで、患者に対して事前に診察状況などを提供でき、患者は診察を受けられる時刻を予想することができる。このため、診察までの長時間係る場合などには、車両で待機したり、その他の用事を済ませる等、時間の有効活用をすることができる。
【００１８】
また、第１５の手段は、電気自動車又はプラグインハイブリッド自動車に対して充電を行うための充電手段を有する、第１から第１４の手段の情報端末である。このような構成を採ることで、充電をしている間に情報端末で商品の紹介などをすることで、商品購入を促すことができるようになる。また、利用者が行先を入力することで、経路上の充電設備の場所などを情報端末に表示するなどの付加価値の高い情報を提供することが可能となる。
【００１９】
また、第１６の手段は、第１から第１５の手段の情報端末と、前記駐車区画からの車両の出庫を阻止するための、少なくとも１つの車止め手段とを備えている駐車場である。このような構成を採ることで、有料駐車場にすることができる。
【００２０】
また、第１７の手段は、前記車止め手段は、入庫から所定時間経過後に車両の出庫を阻止する姿勢となり、情報端末を使った精算により車両の出庫を許容する姿勢となる、第１６の手段の駐車場である。これにより、所定時間の経過前は無料駐車場として運用し、一方所定時間経過後は有料駐車場として運用することができる。
【００２１】
また、第１８の手段は、前記車止め手段は、駐車場管理者の操作によって車両の出庫を許容する姿勢となる、第１６の手段の駐車場である。このような構成を採ることで、情報端末は情報の提供だけに特化しつつ、駐車区画は有料駐車場として運用することが可能となる。
【００２２】
更に、第１９の手段は、第１から第１５の手段の情報端末または第１６から第１８の手段の駐車場を備えた、駐車場管理システムである。このような構成を採ることで、情報の提供、情報の収集、広告、データベースの作成、情報の利用、有料駐車場の運用など、駐車場を中心とした情報の双方向利用が可能となる。
【発明の効果】
【００２３】
以上のように、本発明に係る情報端末およびおよびこれを備えた駐車場では、有料駐車の場合の駐車料金による収益に加え、有益な情報の提供による有形無形の宣伝・集客効果や、広告を表示することによる広告料を収益の一部として期待することができる。また、情報端末を駐車区画に対して建物側に設けることで、ボラードとしての機能を併せ持たせることができる。
【図面の簡単な説明】
【００２４】
【図１】本願発明の一実施形態に係る情報端末が設けられた店舗を示す斜視図である。
【図２】図１に開示した情報端末の拡大斜視図である。
【図３】図１に開示した情報端末の内部構成を示すブロック図である。
【図４】充電手段を具備している情報端末の正面図である。
【図５】店舗に併設された駐車区画を示す図であり、図５（Ａ）は平面図を示し、図５（Ｂ）は駐車区画に設けられた車止め手段の斜視図である。
【図６】表示手段に表示される情報の一例を示す図であり、図６（Ａ）は駐車関連情報を表示しており、図６（Ｂ）は店舗関連情報を表示している図である。
【図７】表示手段に表示される情報の他の一例を示す図であり、図７（Ａ）は地域情報を表示しており、図７（Ｂ）は商品購入関連情報を表示している図である。
【図８】表示手段に表示される情報の更に他の一例を示す図であり、病院情報を表示している。
【発明を実施するための形態】
【００２５】
次に、図面を参照しながら、本発明の一実施形態に係る車止め装置について説明する。
【００２６】
［全体概要］
図１に示すように、本実施形態に係る情報端末１は、駐車場に設置されるものであって、各駐車区画Ｐ毎に設置されて利用者に情報を提供するものである。特に、本実施形態の情報端末１は、コンビニエンスストア（以下「コンビニ」という）の建物に併設されている。そして、情報端末１は、駐車区画に対して前記建物側に設置されている。これは、情報端末１自体に車止め（ボラード）としての役割を併せ持たせるためである。このような要求から、情報端末１は車両（図示略）が接触しても容易には倒れないように、地面に対して強固に設置されている。日頃、ニュースなどで、アクセルとブレーキを踏み間違えて、車両が店舗に突っ込む等の事故が発生しているが、本実施形態に係る情報端末１を設置することで、上記のような事故を未然に防ぐことができる。但し、本発明は、建物に併設されるものに限定されるものではなく、無人駐車場にも適用することが可能である。また、２つの駐車区画にまたがって、１つの情報端末を１つ設置するようにしてもよい。
【００２７】
［情報端末外観］
次に、図２に基づいて情報端末１の外観について説明する。情報端末１は、上側中央部に表示手段３を備えており、この表示手段３に様々な情報を表示できるようになっている。表示手段３は液晶モニタであり、駐車区画に車両が存在している場合に点灯し、逆に車両が存在していない場合には消灯されるようになっている。但し、常時点灯させておいてもよい。表示手段３は、二本の脚部５によって支持されており、この脚部５は鉄やステンレスなどの強度の高い材料で構成されている。
【００２８】
［撮像手段］
また、情報端末１は、撮像手段７を有している。これは、駐車区画に駐車された車両を撮像するためのものである。撮像手段７は、表示手段３の上方の略中央部に設置されている。撮像手段７はＣＣＤカメラ、ＣＭＯＳカメラなどが考えられるが、車両（特に、ナンバープレート）を撮像できるものであればその種類は特に限定されるものではない。なお、本実施形態の情報端末１では、１台の撮像手段７のみを設けているが、２台以上の撮像手段を設けるようにしてもよい。これにより、撮像手段がステレオカメラとなり、情報端末１と車両との距離を算出できるようになる。このため、例えば車両が情報端末１に異常接近した場合などに、警告音を発することができるようになる。
【００２９】
［スピーカ及びマイクロフォン］
情報端末１には、表示手段３の左右の下方に、２つのスピーカ９を備えている。このスピーカ９は、情報端末１から音声情報を提供する場合に使用されるものである。更に情報端末１は、表示手段３の下方中央部ににマイクロフォン１１を備えている。これは、利用者からの音声入力を受け付けるものである。その他、車両のエンジン音などを検出して、車両の有無を検出する車両検出手段として機能させることもできる。なお、２つ以上のマイクロフォンを水平方向に離して設置することで、音の方向を推測できるようになる。このため、エンジン音が情報端末１の正面の駐車区画に駐車された車両のものであるか、それ以外であるかを識別することができる。
【００３０】
上述の情報端末１の説明はあくまでも一例であって、撮像手段７、スピーカ９、マイクロフォン１１の位置や数などは自由に設定可能である。また、コストを低減するために、これら撮像手段７、スピーカ９、マイクロフォン１１などを省略するようにしてもよい。
【００３１】
［通信手段］
次に、図３に基づいて、情報端末１の内部構成について説明する。本実施形態の情報端末１は通信手段１３を有しており、当該通信手段１３及び外部ネットワークＮを介して他の通信機器３１と接続されている。具体的に、有線ＬＡＮ回線、無線ＬＡＮ回線、ブルートゥース（登録商標）、電話回線及びこれらの組み合わせなど、様々な種類の外部ネットワークＮを介して、他の通信機器３１と通信可能に接続されている。これは、他の通信機器３１から様々な情報を取得して表示手段３に表示すると共に、情報端末１に入力された情報を他の通信機器３１に送信するためである。
【００３２】
具体例を、携帯端末（特に、携帯電話）を使った駐車場の事前予約の場合で説明する。利用する携帯電話は、いわゆるスマートフォンである。情報端末１の表示手段３には、その情報端末３に対してアクセスするためのＵＲＬが表示されている。利用者は、携帯電話のブラウザを起動して、そのＵＲＬにアクセスする。すると、情報端末１からは携帯電話に対して、事前予約をすることができる時間帯の情報が送信される。これにより、携帯電話のブラウザに駐車可能時間帯が表示される。
【００３３】
利用者は、事前予約を希望する時間帯を携帯電話で指定して、その情報を情報端末１に送信する。情報端末１は、事前予約を受け付けた旨の確認情報を携帯電話に送信する。これにより、事前予約に関する一連の手続が完了する。その際、携帯電話の電話番号やメールアドレスを情報端末１に登録しておくことで、予約時間の所定時間前（例えば、３０分前）に、予約時間が近づいていることをメールで利用者に知らせることが可能である。
【００３４】
以上の一連の手順は、利用する外部ネットワークの種類に応じて、情報の流れがそれぞれ異なっている。例えば、携帯電話の電話回線を利用している場合は、携帯電話→携帯電話の基地局→電話会社のネットワーク→情報端末のネットワーク→情報端末という流れとなる。無線ＬＡＮを利用する場合には、携帯電話→無線ＬＡＮネットワーク→情報端末という流れとなる。ブルートゥース（登録商標）を利用する場合には、直接情報端末１と情報のやり取りが行われる。なお、携帯端末としては携帯電話に限定されるものではなく、タブレット、ノートパソコンなども利用可能である。また、情報端末のＵＲＬが分かっていれば、利用者は必ずしも駐車場に来る必要はなく、遠隔地からでも事前予約をすることは可能である。
【００３５】
［車両検出手段］
また、情報端末１は、駐車区画内の車両の有無を監視するための車両検出手段１５を備えている。車両検出手段１５の例としては、例えば駐車区画に埋めこまれた静電容量センサや、駐車された車両から発せられる光（反射光）を検出するフォトセンサなどが考えられる。もちろん、上述の撮像手段７やマイクロフォン１１を代用することも可能である。車両の有無に関する情報は、後述するような駐車料金の精算の際の基礎情報の取得や、空車情報を取得するために必要である。
【００３６】
ここで、上述の空車情報に関して説明する。情報端末１は制御手段１７を有しており、この制御手段１７は車両検出手段１５からの情報に基づいて、車両の有無を判断する。そして、上述の事前予約情報と併せて、空車情報を生成する。この空車情報は、現時点での車両の有無の情報と、事前予約されている時間帯に関する情報を含んでいる。この空車情報を通信手段１３を介して外部ネットワークＮに発信する。
【００３７】
［充電手段］
また、図４に示すように、情報端末１Ａに充電手段２１を設けるようにしてもよい。この充電手段２１は、電気自動車又はプラグインハイブリッド自動車に対して充電を行うためのものである。すなわち、情報端末１Ａには充電プラグ２１ａが設けられており、充電後は情報端末１Ａで料金の精算ができるようになっている。料金の精算はクレジットカードで行われる。また、情報端末１Ａが店舗に併設されているものであれば、店舗の店員によって精算処理を行ってもよい。また、料金精算の際に利用者がこれからの行先を入力した場合に、経路上の充電設備の設置場所を表示手段３に表示するようにしてもよい。
【００３８】
［車止め手段］
また、図５に示すように、情報端末１が設置されている駐車区画には、この駐車区画からの車両の出庫を阻止するための車止め手段２３を設けるようにしてもよい。この車止め手段２３は、無人の有料駐車場に設置されるものと同じものである。図５（Ａ）に示すように、例えば店舗に６区画の駐車区画Ｐ１，Ｐ２が設けられている場合に、３箇所の駐車区画Ｐ２を有料駐車場にするような利用のしかたが考えられる。もちろん、すべての駐車区画Ｐ１，Ｐ２に車止め手段２３を設けるようにしてもよい。車止め手段２３は様々な形式ものが利用できるが、図５（Ｂ）に示すような起き上り式のボラードやフラップ式、ゲート式などの車止め手段が考えられる。有料の駐車区画Ｐ２は無料の駐車区画Ｐ１と識別するために、全面を色付けする等の工夫をしてもよい。車止め手段２３は駐車時間が所定時間（例えば３０分）を超えた場合に起き上がるようにしてもよい。このことを利用者に伝えるため、駐車区画Ｐ２に注意書きをしておくとよい。
【００３９】
車止め手段２３は情報端末１と通信回線（図示略）を使って接続されている。このため、駐車料金を情報端末１で精算することが可能である。料金の精算にはクレジットカードを用いる。但し、プリペイドカードなども利用できるようにすると、更に便利となる。なお、精算機能を情報端末１に持たせるのではなく、精算及び車止め手段２３の操作を駐車場管理人に委ねることも考えられる。例えば、コンビニであればその店員が管理するのである。利用者は、コンビニの店員に対して駐車料金の精算を申し出る。コンビニの店員は、該当する駐車区画の情報端末１にアクセスして、駐車料金を確認する。そして、利用者から駐車料金を受け取った場合に、店員が車止め手段２３を降下させて車両が出庫できるようにする。
【００４０】
［情報記憶手段］
また、再度図３を参照すると、情報端末１は、前記撮像手段７によって撮像された画像に基づいて車両を特定し、特定された車両の情報を記憶する情報記憶手段１９を備えている。具体的には、撮像手段７で車両の前方部又は後方部を撮像する。車両の前方と後方にはナンバープレートが装着されているので、このナンバープレートを読み取る。そして、読み取られたナンバーを情報記憶手段１９に記憶する。これにより、特定の車両の駐車状況や駐車履歴を正確に把握することができる。この情報を利用することで、たびたび長時間駐車する車両を特定し、警告を発するなどの制御を行うことができる。なお、情報を記憶するのは情報端末１内の情報記憶手段１９に限定されるものではなく、情報記憶手段に接続された外部記憶手段３３に記憶するようにしてもよい。
【００４１】
上述のような目的を実現するために、情報端末１は、車両情報に加えて、車両入庫時刻、入庫後の経過時間などを情報記憶手段１９に記憶する。そして、これら入庫時刻や経過時間に加え、課金中であることや課金金額などを含む駐車関連情報を、図６（Ａ）に示すように、情報端末１の表示手段３に表示してもよい。利用者は課金金額を容易に確認できる。一方、無料駐車場の場合、入庫後の経過時間が情報端末１によって把握されていると認識し、長時間の駐車を利用者自らが慎むようになることを期待できる。なお、駐車関連情報は、後述するような生活情報の表示の合間に表示（例えば、１分間隔で５秒程度）するようにしてもよい。
【００４２】
また、情報端末１がコンビニに併設されたものである場合、様々な情報を提供するメリットがある。例えば、コンビニ自体の店舗情報、商品情報、無料配布物情報などを含む、生活情報が挙げられる。これらの情報により、コンビニの集客に貢献することができる。また、緊急地震速報や広告なども提供することができる。広告は、コンビニで扱っている商品のみならず、広く一般的な商品やサービスの広告が考えられる。広告を表示することで、広告料を徴収することができるようになり、初期投資を迅速に回収できると共にランニングコストを低減できる可能性がある。更には、図７（Ａ）に示すように、地域情報として、その地域の当番医、町内清掃日、ごみ出し可能日、お祭り開催情報なども提供できる。コンビニは、地域の人たちが頻繁に訪れる場所であるため、このような地域密着型の情報の提供が集客に役立つ。
【００４３】
また、コンビニで扱っている商品の注文を利用者から受け付ける、商品受注機能を情報端末に持たせるようにしてもよい。これは、利用者が情報端末を操作して、商品を注文できる機能である。いわゆる、ドライブスルー式の購買形態をコンビニで実現することができる。特に、購入する商品が予め決まっている場合などに便利である。すなわち、図７（Ｂ）に示すように、利用者は情報端末から購入したい商品のジャンルを選択する。そして、表示される商品を特定する。情報端末の表示手段３がタッチパネルであれば、この表示手段３を操作して商品を特定できる。受注情報は店舗に送信され、店員がその注文を確認する。店員は、注文された商品と、レシート、お釣りなどを利用者の車両に持参する。利用者は料金を支払ってレシートをお釣りを受け取る。
【００４４】
また、情報端末は、上述の車両情報（車両のナンバー）を情報記憶手段１９（図３参照）に記憶している。このため、この車両の情報と上記受注情報とを、相互に関連付けて記憶し、データベースを作成する（データベース機能）。作成されたデータベースは、情報記憶手段１９に記憶してもよいし、外部記憶手段３３に記憶してもよい。これにより、車両に関連付けられた受注情報が蓄積される。後日、同じ車両が駐車区画に入庫された場合には、過去の受注情報が読み出される。そして、以前購入された商品やこれに類する商品の広告を情報端末に表示する。こうすることで、利用者のニーズにあった情報（広告）を提供することができる。
【００４５】
また、車両と受注情報が関連付けされているため、車両に対して買い物によるポイントを付与することができる（ポイント付与機能）。これは、ポイントカードなどを用いることなく、ポイント蓄積が可能となるため、店舗側と利用者側の双方にとって利便性が高い。また、情報端末にポイントを表示すると共に、ポイントによって購入できる商品や利用できるサービスなどを表示すれば、利用者の再来店を促進することができる。
【００４６】
また、情報端末が病院に併設されている場合なども、有益な情報を提供することができる。例えば、診察状況、待ち時間、出勤医師名を含む病院情報である。一般的に、病院、特に大規模病院では、診察を受けるまでの待ち時間に長時間を要する場合が多い。その場合、予め情報端末で患者の情報を入力することで、図８に示すように、現在の診察状況や待ち時間等の情報を提供することができる。このため、具合の悪い患者は病院の待合室で待つことなく、自身の車両内で自分の診察時間になるのを待つことができる。
【００４７】
患者に関する情報の入力は、例えば診察カードを情報端末に読み込ませたり、情報端末に対して利用者が直接入力するようにしてもよい。
【産業上の利用可能性】
【００４８】
本発明は、無人駐車場や店舗や病院などに併設された駐車場に利用可能である。
【符号の説明】
【００４９】
１，１Ａ  情報端末
３  表示手段
５  脚部
７  撮像手段
９  スピーカ
１１  マイクロフォン
１３  通信手段
１５  車両検出手段
１７  制御手段
１９  情報記憶手段
２１  充電手段
２１ａ  充電プラグ
３１  他の通信機器
３３  外部記憶装置
Ｎ  外部ネットワーク
Ｐ，Ｐ１，Ｐ２  駐車区画
【図１】
2015225431.tif 000003
【図２】
2015225431.tif 000004
【図３】
2015225431.tif 000005
【図４】
2015225431.tif 000006
【図５】
2015225431.tif 000007
【図６】
2015225431.tif 000008
【図７】
2015225431.tif 000009
【図８】
2015225431.tif 000010